(57)【要約】      （修正有）【課題】便箋、ノート等に文字を書くときに、文として続く文字の並びの間隔を整えることができる下敷きを提供する。【解決手段】下敷きの薄板状の本体の表面に、複数の互いに平行に延びた線である導線１１を形成する。導線の間隔は、下敷きが使用されるノートまたは便箋の罫線７１の間隔を考慮して決定され、ノートまたは便箋の罫線間隔Ｈ１を３の平方根で除した大きさが適切である。導線は、本体の両面に形成し、それぞれの面の導線間隔を違えることにより、複数の罫線間隔のノートまたは便箋に使用可能となる。導線または本体を電気により発光する有機エレクトロルミネッセンスで形成してもよい。文字間隔を確認しやすくなる。【選択図】図１
0003186578.tif 000002
【実用新案登録請求の範囲】
【請求項１】
鉛筆、ポールペンまたは万年筆を使用して紙に筆記するときに前記紙の下に敷く下敷きであって、
薄板状の本体の表面に、複数の互いに平行に延びた線である導線が形成された
ことを特徴とする下敷き。
【請求項２】
特定の罫線間隔の横書きのノートまたは特定の罫線間隔の横書きの便箋に筆記するときに使用される下敷きであって、
薄板状の本体の表面に複数の互いに平行に延びた線である導線が形成されており、
前記導線の間隔が、前記罫線間隔を３の平方根で除した大きさである
ことを特徴とする下敷き。
【請求項３】
特定の罫線間隔の横書きのノートおよび特定の罫線間隔の横書きの便箋に筆記するときに使用される下敷きであって、
薄板状の本体の各表面のいずれにも複数の互いに平行に延びた線である導線が形成されており、
一方の前記表面の前記導線の間隔が、前記ノートの前記罫線間隔を３の平方根で除した大きさであり、
他方の前記表面の前記導線の間隔が、前記便箋の前記罫線間隔を３の平方根で除した大きさである
ことを特徴とする下敷き。
【請求項４】
前記本体の一方の表面が黒色であり、
前記一方の表面に形成された前記導線が白色である、
請求項１ないし請求項３に記載の下敷き。
【請求項５】
前記導線が電気により発光する有機エレクトロルミネッセンスで形成された
請求項１ないし請求項３に記載の下敷き。
【請求項６】
前記本体が電気により発光する有機エレクトロルミネッセンスで形成された
請求項１ないし請求項３に記載の下敷き。
【請求項７】
横罫線が設けられたノートまたは横罫線が設けられた便箋と、
表面に複数の互いに平行に延びた線である導線が形成された下敷きと、で構成され、
前記導線の間隔が、前記横罫線の間隔を３の平方根で除した大きさである
ことを特徴とする下敷きセット。
【考案の詳細な説明】
【技術分野】
【０００１】
本考案は、ノートおよび便箋等に筆記するときに使用される下敷きに関する。
【背景技術】
【０００２】
近年、業務関連の文書の作成は、パソコンでワープロアプリケーションを動作させ、プリンタにより印刷する場合がほとんどであり、手書きで業務報告書等の業務用書面を作成することはまれである。仕事においては文字を手書きする場面が少なくなり、急に個人的な手紙を書く、ノートを取る等の文字を手書きする必要が生じたとき、不慣れから文として続く隣り合う字の間隔が不揃いになる。
【０００３】
ところで、従来、いわゆる筆により無地の白い書道用紙に文字を書く書道においては、文字をまっすぐにそろえる等の目的で、枡目が記載された下敷きが提案されている（特許文献１，２）。
【先行技術文献】
【特許文献】
【０００４】
【特許文献１】実用新案登録第３１６４７６１号公報
【特許文献２】実用新案登録第３０９０７５５号公報
【考案の概要】
【考案が解決しようとする課題】
【０００５】
特許文献１，２で提案されている下敷きは、文字自体が大きく書かれる文字数が多くない書道用紙に使用されるもので、これらに提案された技術を、記載される文字数が格段に多い便箋、ノート等において、文として続く文字の並びの間隔を整えるために使用することは困難である。
本考案は、上述の問題に鑑みてなされたもので、便箋、ノート等に文字を書くときに、文として続く文字の並びの間隔を整えることができる下敷きおよび下敷きセットを提供することを目的とする。
【課題を解決するための手段】
【０００６】
本考案に係る下敷きは、鉛筆、ポールペンまたは万年筆を使用して紙に筆記するときに使用される。下敷きの薄板状の本体の表面には、複数の互いに平行に延びた線である導線が形成される。
本考案に係る他の下敷きは、特定の罫線間隔の横書きのノートまたは特定の罫線間隔の横書きの便箋に筆記するときに使用される。その薄板状の本体の表面には、複数の互いに平行に延びた線である導線が形成されており、導線の間隔が、罫線間隔を３の平方根で除した大きさである。
【０００７】
本考案に係る他の下敷きは、特定の罫線間隔の横書きのノートおよび特定の罫線間隔の横書きの便箋に筆記するときのいずれにも使用される。その薄板状の本体の各表面のいずれにも複数の互いに平行に延びた線である導線が形成されている。一方の表面の導線の間隔は、ノートの罫線間隔を３の平方根で除した大きさであり、他方の表面の導線の間隔は、便箋の罫線間隔を３の平方根で除した大きさである。
【０００８】
下敷きの本体の一方の表面を黒色とし、その一方の表面に形成された導線を白色としてもよい。
導線を電気により発光する有機エレクトロルミネッセンスで形成してもよい。
本体を電気により発光する有機エレクトロルミネッセンスで形成してもよい。
本考案に係る下敷きセットは、横罫線が設けられたノートまたは横罫線が設けられた便箋、およびその表面に複数の互いに平行に延びた線である導線が形成された下敷きで構成される。導線の間隔は、組み合わされるノートまたは便箋の横罫線の間隔を３の平方根で除した大きさである。
【考案の効果】
【０００９】
本考案の下敷きは、便箋、ノート等に文字を書くときに、文として続く文字の並びの間隔を整えることができる下敷きおよび下敷きセットを提供することができる。
【図面の簡単な説明】
【００１０】
【図１】図１は下敷きのノート用面を示す図である。
【図２】図２は下敷きの便箋用面を示す図である。
【図３】図３は他の下敷きのノート用面を示す図である。
【図４】図４は他の下敷きのノート用面を示す図である。
【図５】図５は他の下敷きのノート用面を示す図である。
【図６】図６は他の下敷きの概要を示す図である。
【考案を実施するための形態】
【００１１】
図１は下敷き１のノート用面２を示す図、図２は下敷き１の便箋用面３を示す図である。図１における二点鎖線は、開かれて下敷き１が使用されたノート７の右頁を示す。
下敷き１は、学校の授業等で、鉛筆、ポールペンまたは万年筆によりノートに文字等を記す際に使用される、いわゆる下敷きである。下敷き１は、ポリ塩化ビニル、ポリプロピレン等の硬質材料による薄板を本体とする。下敷き１は、本体の一方の表面がノート用面２、他方の表面が便箋用面３となっている。図１に示される下敷き１は、Ａ５サイズのノート（３号）用およびＡ５サイズ（実際はＡ５よりも若干小さい）の便箋用として製作されたものである。
【００１２】
ノート用面２および便箋用面３のいずれにも、下敷き１の長手方向に延びた複数の線１１，…，１１，１２，…，１２が等間隔に描かれている。以下、これらの線を「導線」という。
ところで、Ａ５サイズのノートは、その罫線（「罫」ともいわれる）７１，…，７１の間隔（以下「罫線間隔」という）がＪＩＳ  Ｓ５５０４「ノートブック」に規定されないが、５，６，７ｍｍのいずれかが一般的である。下敷き１のノート用面２における隣り合う導線１１，１１の間隔（以下「導線間隔」という）は、これらの罫線７１，７１の間隔のいずれかを想定して設定される。いずれの罫線間隔を想定する場合であっても、導線間隔は、罫線間隔Ｈ１を３の平方根で除した値（Ｈ１÷１．７３２）が採用される。
【００１３】
罫線間隔Ｈ１を除する数値（３の平方根）は、罫線間隔Ｈ１から筆記される文字の大きさおよび文字間隔を考慮して決定されたものである。
同様に、Ａ５サイズの横書き便箋では、罫線８１，…，８１の間隔（以下「罫線間隔」という）が８．５ｍｍのものが一般的である。便箋用面３もノート用面２と同様に、導線１２，１２の間隔（以下「導線間隔」という）は、罫線間隔Ｈ２を３の平方根で除した値（Ｈ１÷１．７３２）が採用される。
【００１４】
下敷き１におけるノート用面２および便箋用面３のいずれの導線１１，１２も、ノートまたは便箋に文字を記すときに、隣り合う文字の間隔の目安となる。その結果、文字の並びが整い読みやすいノートおよび便箋への記載を行うことができる。
図３は他の下敷き１Ｂのノート用面２Ｂを示す図である。
下敷き１Ｂのノート用面２Ｂは、黒色の背景に白色の複数の導線１１Ｂ，…，１１Ｂが等間隔に描かれている。導線１１Ｂ，１１Ｂの間隔は、下敷き１のノート用面２と同様に、使用が予定されるノートの罫線間隔Ｈ１を３の平方根で除した値（Ｈ１÷１．７３２）である。
【００１５】
ノートは、１枚の紙（頁、紙片）の表裏のいずれにも記載がなされる。文字は、鉛筆、ボールペンまたは万年筆等で書かれ、裏に既に書かれた文字が表に透けて薄く現れ、それがおもて面に文字を記載するときの妨げになる場合がある。そのようなとき、ノート用面２Ｂは、導線１１Ｂの背景が黒色であるため、裏面に記載された文字が背景によりマスキングされて目に付きにくくなり、文字の記載に集中することができる。ノート用面２Ｂは、背景の黒色に対して導線１１Ｂが白色と明度差が大きく、ノートの紙片を透過して導線１１Ｂを認めることができ、導線１１Ｂの役割、すなわち隣り合う文字の間隔の目安として十分に機能する。
【００１６】
図４は他の下敷き１Ｃのノート用面２Ｃを示す図、図５は他の下敷き１Ｄのノート用面２Ｄを示す図である。
図４に示される下敷き１Ｃのノート用面２Ｃは、３種類の導線１１Ｃａ，１１Ｃｂ，１
１Ｃｃが有機ＥＬ（有機エレクトロルミネッセンス）で形成される。３種類の導線１１Ｃａ，１１Ｃｂ，１１Ｃとは、７ｍｍ間隔のノート用のための最も間隔が大きな導線１１Ｃａ、６ｍｍ間隔のノート用のために導線１１Ｃａよりも間隔が小さな導線１１Ｃｂ、および５ｍｍ間隔のノート用のために導線１１Ｃｂよりも間隔が小さな導線１１Ｃｃである。
【００１７】
なお、識別のために図４において導線１１Ｃｂ，１１Ｃｃを破線で記したが、実際には連続する線である。
下敷き１ＣにはＥＬ発光装置４Ｃが付属する。ＥＬ発光装置４Ｃは、家庭用交流１００Ｖを電源とし、電圧および周波数を変換させるインバータを備えている。ＥＬ発光装置４Ｃは、周波数を複数段階に変更できるつまみを有し、つまみにより駆動周波数を変更することにより、導線１１Ｃの適切な輝度を選択することができる。
【００１８】
また、ＥＬ発光装置４Ｃは、３種類の導線１１Ｃａ，１１Ｃｂ，１１Ｃｃのいずれを発光させるかを選択するための選択スイッチを備える。
下敷き１Ｃは、導線１１Ｃａ，１１Ｃｂ，１１Ｃｃのいずれかを光らせることにより、ノートを透かして導線１１Ｃａ，１１Ｃｂ，１１Ｃｃを視認することができ、文字の記載時に、文字間隔の確認が容易である。
【００１９】
下敷き１Ｃは、一方の面にノート用および便箋用の導線を混在させることができる。その場合であっても、ＥＬ発光装置４Ｃの選択スイッチにより、使用対象に応じた適切な導線を発光させることができる。
下敷き本体を若干厚くし、一方の面をノート用面、他方の面を便箋用面として、それぞれに導線を設けることもできる。
【００２０】
図５に示される下敷き１Ｄは、それ自体が単色の有機ＥＬで形成されており、これを発光させるためのＥＬ発光装置４Ｄを有する。
下敷き１Ｄは、一方の表面（ノート用面２Ｄ）にノート用の導線１１Ｄ，…，１１Ｄが暗色で印刷されており、他方の表面（便箋用面）に便箋用の導線が暗色で印刷されている。ノート用の導線１１Ｄおよび便箋用の導線のそれぞれの間隔等は、下敷き１における導線１１，１２と同じである。
【００２１】
下敷き１Ｄは、ＥＬ発光装置４Ｄを備える。ＥＬ発光装置４Ｄは、基本的には下敷き１Ｃにおけるものと同じである。すなわち、ＥＬ発光装置４Ｄは、家庭用交流１００Ｖを電源とし、電圧および周波数を変換させるインバータを備える。ＥＬ発光装置４Ｄは、周波数を複数段階に変更できるつまみを有し、つまみにより駆動周波数を変更することにより、下敷き１Ｄ本体の適切な輝度を選択することができる。
【００２２】
下敷き１Ｄは、それ自体が発光するので、暗い部屋および明かりのない環境（例えば消灯後の山小屋等）でも、ノートまたは便箋に文字を適正な間隔で記載することができる。
縦書きのノートまたは便箋に使用される下敷きは、本体の長手方向に直行する方向に延びた複数の導線が等間隔に描かれる。
図６は他の下敷き１Ｅの概要を示す図である。
【００２３】
下敷き１Ｅは、ポリプロピレン等の透明で可撓性を有する樹脂シートが２枚重なり、その直交する２辺が閉じられたクリヤホルダーを本体とする。導線１１Ｅ，…，１１Ｅ，１２Ｅ，…，１２Ｅは、重ねられた２枚の樹脂シートのいずれかのおもて面または内側面に設けられる。ノート用の下敷き１Ｅでは、導線１１Ｅは、矩形である本体の長手方向に延びており（図６（ａ））、便箋用の下敷き１Ｅでは、導線１２Ｅは、本体の長手方向に直交して延びている（図６（ｂ））。
【００２４】
ノート用の導線１１Ｅを一方の樹脂シートのおもて面に、便箋用の導線１２Ｅを他方の一方の樹脂シートのおもて面に設ける、または樹脂シートのそれぞれに導線間隔の異なるノート用の導線１１Ｅもしくは導線間隔の異なる便箋用の導線１２Ｅを設けてもよい。
樹脂シートのそれぞれに導線が設けられた下敷きは、導線１１Ｅ，１２Ｅの色と明確に区別できる色の無地の紙等を２枚の樹脂シートに挟んで使用される。
【００２５】
上述の実施形態において、下敷き１，１Ｂ〜１Ｅ、および下敷き１，１Ｂ〜１Ｅの各構成または全体の構造、形状、寸法、個数、材質などは、本発明の趣旨に沿って適宜変更することができる。
【産業上の利用可能性】
【００２６】
本考案は、ノートおよび便箋等の下敷きに利用することができる。
【符号の説明】
【００２７】
１，１Ｂ〜１Ｅ  下敷き
１１，１１Ｂ〜１１Ｅ  導線
１２，１２Ｅ  導線
７  ノート
７１  （ノートの）罫線（横罫線）
８  便箋
８１  （便箋の）罫線（横罫線）
Ｈ１，Ｈ２  罫線間隔
【図１】
0003186578.tif 000003
【図２】
0003186578.tif 000004
【図３】
0003186578.tif 000005
【図４】
0003186578.tif 000006
【図５】
0003186578.tif 000007
【図６】
0003186578.tif 000008
【手続補正書】
【提出日】平成25年8月13日(2013.8.13)
【手続補正１】
【補正対象書類名】実用新案登録請求の範囲
【補正対象項目名】全文
【補正方法】変更
【補正の内容】
【実用新案登録請求の範囲】
【請求項１】
鉛筆、ポールペンまたは万年筆を使用して紙に筆記するときに前記紙の下に敷く下敷きであって、
薄板状の本体の表面に、複数の互いに平行に延びた線である導線が形成された
ことを特徴とする下敷き。
【請求項２】
特定の罫線間隔の横書きのノートまたは特定の罫線間隔の横書きの便箋に筆記するときに使用される下敷きであって、
薄板状の本体の表面に複数の互いに平行に延びた線である導線が形成されており、
前記導線の間隔が、前記罫線間隔を３の平方根で除した大きさである
ことを特徴とする下敷き。
【請求項３】
特定の罫線間隔の横書きのノートおよび特定の罫線間隔の横書きの便箋に筆記するときに使用される下敷きであって、
薄板状の本体の各表面のいずれにも複数の互いに平行に延びた線である導線が形成されており、
一方の前記表面の前記導線の間隔が、前記ノートの前記罫線間隔を３の平方根で除した大きさであり、
他方の前記表面の前記導線の間隔が、前記便箋の前記罫線間隔を３の平方根で除した大きさである
ことを特徴とする下敷き。
【請求項４】
前記本体の一方の表面が黒色であり、
前記一方の表面に形成された前記導線が白色である、
請求項１ないし請求項３のいずれか一項に記載の下敷き。
【請求項５】
前記導線が電気により発光する有機エレクトロルミネッセンスで形成された
請求項１ないし請求項３のいずれか一項に記載の下敷き。
【請求項６】
前記本体が電気により発光する有機エレクトロルミネッセンスで形成された
請求項１ないし請求項３のいずれか一項に記載の下敷き。
【請求項７】
横罫線が設けられたノートまたは横罫線が設けられた便箋と、
表面に複数の互いに平行に延びた線である導線が形成された下敷きと、で構成され、
前記導線の間隔が、前記横罫線の間隔を３の平方根で除した大きさである
ことを特徴とする下敷きセット。